(57)【要約】【課題】牽引桿を折りたたんで格納でき、牽引作業中は横揺れガタを生じさせない牽引桿の組付構造を提供する。【解決手段】作業機横フレームと一体のブラケットに牽引桿の基端を左右方向へ折りたたみ回動自在に枢支する。左右対の横移動規制部材の一端を前記横フレームの支持ブラケットに軸支し、他端を前記牽引桿の側面支持ブラケットに着脱自在に軸支する。一方の横移動規制部材に伸縮機構を設けて左右横移動規制部材を緊張させ、牽引桿の横揺れガタを防止する。【選択図】図２
2006055037.tif 000002
【特許請求の範囲】
【請求項１】
トラクタ等の牽引車両に引かれる作業機横フレームの一体ブラケットに、トラクタ等の車両に連結される牽引桿の基端を左右方向へ回動自在に枢支するとともに、一端部を前記横フレームの支持ブラケットに、他端部を前記牽引桿の側面支持ブラケットに各々縦軸受を介して軸支した左右対の横移動規制部材を架設して牽引桿を固定するとともに、各々の横移動規制部材の少なくとも一方の端部を着脱自在に軸支し、この一端部の離脱により牽引桿と左右横移動規制部材を作業機横フレームに沿って折りたたみ格納できるようにしたことを特徴とする牽引作業機の牽引桿組付構造
【請求項２】
作業機フレームと牽引桿の間に架設した左右対の横移動規制部材の少なくとも一方を伸縮機構を有する部材で構成し、この横移動規制部材の伸長又は収縮により、牽引桿と左右対の横移動規制材間のガタをなくすようにしたことを特徴とする請求項１記載の牽引作業機の牽引桿組付構造
【請求項３】
横移動規制部材の伸縮機構が、横移動規制部材の長手方向を、中空外筒と、外面ねじ山に緩み止めナットを螺合したねじロッドで構成し、外筒に挿入したねじロッドのナットを螺合移動して外筒開放端に圧接する構成であることを特徴とする請求項２記載の牽引作業機の牽引桿組付構造
【発明の詳細な説明】
【技術分野】
【０００１】
本発明はトラクタ等の車両に牽引される作業機の牽引桿組付構造に関する。
【背景技術】
【０００２】
広い圃場で使用される植付機、除草機、収穫機などの大型農作業機は、トラクタ等の車両で牽引しながら所定の作業が行なわれる。図８に示すように、作業機１は通常、前部の横フレーム２に牽引桿３を有し、牽引桿先端の揺動ブラケット４をトラクタの後部フレーム（図は省略）に連結して牽引する構造になっている。
【発明の開示】
【発明が解決しようとする課題】
【０００３】
従来、この種の作業機の牽引桿３は、図８のように、作業機１の横フレーム２と一体のブラケット５に牽引桿３を溶接等で固定している。また、必要に応じて作業機１の横フレーム２と牽引杆３間に左右補強フレーム７、８を設けていた。
この補強フレーム７、８は牽引桿３と同様に溶接等で容易には取外し不能に固定しており、専ら補強の目的に用いられているものである。
【０００４】
このように、従来の作業機の牽引桿３の組付構造は牽引桿３及び補強フレーム７、８が作業機１に溶接等で固定されているので、不使用時や格納時には邪魔になり、また、作業機全体の格納に広いスペースが必要であった。
【０００５】
従って、本発明の第１の目的は、牽引作業中は作業機フレームに堅固に一体固着され、作業機の不使用時や格納時はコンパクトに折りたたんで収納できる牽引桿組付構造を提供することにある。
【０００６】
本発明の第２の目的は、作業中に牽引桿と横移動規制部材間にガタが生じない構造の上記折りたたみ可能の牽引桿組付構造を提供することにある。
【課題を解決するための手段】
【０００７】
上記第１の目的を達成するために、本発明の牽引桿組付構造は、トラクタ等の牽引車両に引かれる作業機横フレームの一体ブラケットに、トラクタ等の車両に連結される牽引桿の基端を左右方向へ回動自在に枢支するとともに、一端部を前記横フレームの支持ブラケットに、他端部を前記牽引桿の側面支持ブラケットに各々縦軸受を介して軸支した左右対の横移動規制部材を架設して牽引桿を固定するとともに、各々の横移動規制部材の少なくとも一方の端部を着脱自在に軸支し、この一端部の離脱により牽引桿と左右横移動規制部材を作業機横フレームに沿って折りたたみ格納できるようにしたことを特徴とする。
【０００８】
上記第２の目的を達成するために、本発明は上記牽引桿組付構造において、さらに、作業機フレームと牽引桿の間に架設した左右対の横移動規制部材の少なくとも一方を伸縮機構を有する部材で構成し、この横移動規制部材の伸長又は収縮により、牽引桿と左右対の横移動規制材間のガタをなくすようにしたことを特徴とする。
【０００９】
この場合、好ましくは、横移動規制部材の伸縮機構は、横移動規制部材の長手方向を、中空外筒と、外面ねじ山に緩み止めナットを螺合したねじロッドで構成し、外筒に挿入したねじロッドのナットを螺合移動して外筒開放端に圧接する構成にする。
【発明の効果】
【００１０】
牽引桿の基端を作業機横フレームの一体ブラケットに左右方向へ回動可能に枢着するとともに、一方の端部を横フレームの支持ブラケットに軸着し、他端部を牽引杆側面の支持ブラケットに着脱自在に軸支した左右対の横移動規制部材で牽引桿の左右回動を不能にしたので牽引作業中は牽引桿を固定状態で使用することができるとともに、格納時や不使用時は牽引桿及び横移動規制部材を作業機横フレームに沿ってコンパクトに折りたたんで収納することができる。
【００１１】
少なくとも一方の横移動規制部材に伸縮機能を持たせ、所定の緊張位置に保持することにより、牽引桿に対して左右の横移動規制部材が緊張して連結されるので軸着連結部にガタが生じない。
【００１２】
横移動規制部材の伸縮機構を、軸方向に分割した中空外筒と緩み止めナットを螺合したねじロッドで構成し、緩み止めナットを中空外筒の開放端に圧接して所定伸縮位置に固定するようにしたので、伸縮操作が簡単である。
【００１３】
なお、本発明の横移動規制部材は、牽引桿の基端を折りたたみ可能に連結したことに伴ない、牽引時の横方向への動きを防止することを目的に使用されるもので、単なる補強部材ではない。従って、従来の溶接補強桿とは目的、機能が異なり、技術思想を異にするものである。
【発明を実施するための最良の形態】
【００１４】
以下、本発明の実施例を添付の図面に沿って説明する。
図の実施例は、横フレーム２の長手方向に複数の植付装置９を結合し、牽引桿３を介してトラクタ（図は省略）で牽引される牽引作業機１の牽引桿取付構造を示すもので、図１及び図２に示すように、横フレーム２の中央部に一体ブラケット５が溶接等で固着されている。
図２に詳細に示すように、一体ブラケット５は前方へ張り出した上下水平プレート５ａ、５ｂを有し、この上下水平プレート５ａ、５ｂには後述する牽引桿３の基端を枢支する縦支軸１０を支持するための取付孔１１ａ、１１ｂが形成されている。
【００１５】
牽引桿３は、基部に前記縦支軸１０が挿入される軸受孔１２を有し、牽引桿３の軸受孔１２に挿入した前記縦支軸１０の上、下を前記ブラケット５の取付孔１１ａ、１１ｂに、ワッシヤ、スプリング、ボルトなどの止め具１３で固定し、ブラケット５の縦支軸１０を中心軸にして左又は右へ回動し、横フレーム２に沿って折りたたむことができるようにして連結されている。
【００１６】
作業機横フレーム２の前記一体ブラケット５の左右と、牽引桿３の左右側面に、牽引中の牽引桿３の横方向の動き（揺れ）を止める横移動規制部材１４、１５が対をなして設けられている。
この横移動規制部材１４、１５は、牽引作業中は牽引桿３の横揺れを防止するとともに、作業機１の格納時は牽引桿３の折りたたみを干渉することなく自らも横フレーム２に沿って折りたたむことができる構造になっている。
【００１７】
このため、図１、図２実施例の横移動規制部材１４、１５は、横フレーム２に固定した一方の軸受ブラケット１６と、牽引桿３の側面に固定した他方の軸受ブラケット１７と、この軸受ブラケット１６、１７に両端を軸支する支持フレーム１８、１９で構成され、図２に示すように、支持フレーム１８、１９の一端に固定した縦長の軸受２０を横フレーム２の支持ブラケット１６に支軸ピン２１を介して枢着するとともに、支持フレーム１８、１９の他端に固定した縦長の軸受２２を牽引桿３の支持ブラケット１７に支軸ピン２３を介して枢着してある。なお、牽引桿３側支持ブラケット１７の支軸ピン２３は差し込み、引き抜き操作だけで横移動規制部材１４、１５の一端を着脱できるようにしてある。
【００１８】
かくして、横フレーム２の一体ブラケット５に回動可能に枢支された牽引桿３は、図１のように、牽引中は左右の横移動規制部材１４、１５によってしっかり支えられて作業機１を牽引するとともに、図３のように、作業機１の格納時は横移動規制部材１４、１５の一端側軸受２２の支軸ピン２３を外すことにより横フレーム２の左又は右に折りたたむことができ、横移動規制部材１４、１５も一端側支軸ピン２３がフリーになることにより、他端側支軸ピン２１を軸にして横フレーム２に沿って折りたたみ可能となる。
なお、横フレーム２の左右に各々、上下移動自在の脚部材２４が設けられており、図１のように、牽引中は脚部材２４を引き上げてピン等で保持し、図３のように、格納時は脚部材２４を接地させて支持させるようになっている。
【００１９】
図４、図７は本発明の他の実施例を示すもので、この実施例は左右横移動規制部材１４、１５の一方（図では右側横移動規制部材１５）に伸縮機構を設け、牽引中に牽引桿３が左右の横移動規制部材１４、１５によって両側から緊張支持され、ガタが生じないようにしたものである。
【００２０】
図の実施例の伸縮機構は、図５のように、横移動規制部材１５の長手方向を中空外筒１５ａと、外面ねじ山２５にハンドル付緩み止めナット２６（好ましくはダブルナット）を螺合したねじロッド１５ｂで構成し、外筒１５ａに挿入したねじロッド１５ｂのナット２６を螺合移動させて外筒１５ａの開放端に圧接することにより横移動規制部材を緊張させる構造にしてある。
【００２１】
図の実施例では一方側に折りたたむ場合を図示したが、左右いずれの方向に折りたたむこともできる。
【産業上の利用可能性】
【００２２】
本発明の牽引桿取付構造は格納時はコンパクトに折りたたむことができるのでスペースを取らず、邪魔にならない。他方、牽引作業中は左右の横移動規制部材により支えられるので牽引の方向性に何ら支障を来たさない。特に、横移動規制部材に伸縮機構を持たせることにより、牽引桿を左右から緊張支持されるので、ガタがなく溶接等の固定式牽引桿と同様の使い勝手が得られる。
【図面の簡単な説明】
【００２３】
【図１】本発明の実施例による牽引桿組付構造の斜視図
【図２】図１の分解図
【図３】図１実施例の折りたたみ状態図
【図４】本発明の他の実施例による牽引桿組付構造の斜視図
【図５】図４実施例の部材拡大図
【図６】図４実施例の部材拡大図
【図７】図４実施例の折りたたみ状態図
【図８】従来の牽引桿組付構造図
【符号の説明】
【００２４】
１…牽引作業機
２…横フレーム
３…牽引桿
４…揺動ブラケット
５…一体ブラケット
５ａ、５ｂ…水平プレート
７、８…補強フレーム
９…植付装置
１０…縦支軸
１１ａ、１１ｂ…取付孔
１２…軸受孔
１３…止め具
１４、１５…横移動規制部材
１５ａ…中空外筒
１５ｂ…ねじロッド
１６、１７…軸受ブラケット
１８、１９…支持フレーム
２０、２２…軸受
２１、２３…支軸ピン
２４…脚部材
２５…外面ねじ山
２６…ナット
【図１】
2006055037.tif 000003
【図２】
2006055037.tif 000004
【図３】
2006055037.tif 000005
【図４】
2006055037.tif 000006
【図５】
2006055037.tif 000007
【図６】
2006055037.tif 000008
【図７】
2006055037.tif 000009
【図８】
2006055037.tif 000010